【事件の表示】
　特願２００５−１１８１３９「ピックアップ装置」拒絶査定不服審判事件〔平成１８年１１月　２日出願公開，特開２００６−３０２３３４〕について，次のとおり審決する。
【結　論】
　本件審判の請求は，成り立たない。
【理　由】
第１　手続の経緯
　この出願は，平成１７年４月１５日に出願されたものであって，平成２２年１月２０日付け拒絶の理由に対し，同年３月２９日に手続補正がなされたが，平成２３年３月３０日付けで拒絶をすべき旨の査定がなされたものであり，これに対し，同年７月５日に拒絶査定不服審判の請求がなされると共に，同日付けで手続補正がなされたものである。
　その後，当審において，平成２４年２月２７日付けで審尋がなされたが，これに対する応答はなかった。
　
第２　平成２３年７月５日付け手続補正の却下の決定
　
《補正の却下の決定の結論》
　
　平成２３年７月５日付け手続補正を却下する。
　
《補正の却下の決定の理由》
　
１　本件補正の概要
　平成２３年７月５日付け手続補正（以下，「本件補正」という。）は，特許請求の範囲及び発明の詳細な説明を補正しようとするものであって，そのうち，特許請求の範囲について，本件補正前
「　【請求項１】
　ハウジングと，
　該ハウジングに取り付けられるレンズと
，
を備え，
　該ハウジングは，
　該レンズを支える第一支持部と，
　該レンズを支える第二支持部と，
　該第一支持部に続く第一隔壁と，
　該第二支持部に続く第二隔壁と，
　該第一隔壁と該第二隔壁とを繋ぐ連結部と
，
を有
し，
　
該第一支持部と，該第二支持部と，該第一隔壁と，該第二隔壁と，該連結部とは，一体形成された
　　【請求項２】
　前記ハウジングに前記レンズが固定されるときに，該ハウジングに該レンズを固着させる接着剤が用いられたことを特徴とする請求項１記載のピックアップ装置。
　　【請求項３】
　前記ハウジングおよび前記レンズに接着剤が三箇所塗布されて，該ハウジングに該レンズが固定されたことを特徴とする請求項１又は２記載のピックアップ装置。
　　【請求項４】
　前記第一支持部と，前記第二支持部と，前記連結部とに接着剤が塗布されて，前記ハウジングに前記レンズが固定されたことを特徴とする請求項１〜３の何れか１項に記載のピックアップ装置。
　　【請求項５】
　前記レンズと前記連結部とに接着剤を塗布させ易くする突出部が，該連結部に設けられたことを特徴とする請求項１〜４の何れか１項に記載のピックアップ装置。
　　【請求項６】
　前記突出部に対応した切欠き部が，前記レンズに設けられたことを特徴とする請求項５に記載のピックアップ装置。
　　【請求項７】
　前記接着剤は，前記突出部の先端面部と，前記切欠き部を形成する平面部とに塗布されたことを特徴とする請求項６に記載のピックアップ装置。
　　【請求項８】
　前記ハウジングに前記レンズが装備されるときに，
　該ハウジングの前記連結部に突設された前記突出部の先端面部が，該レンズの切欠き部の略中央部に位置する状態で，該ハウジングに該レンズが備えられたことを特徴とする請求項５〜７の何れか１項に記載のピックアップ装置。
　　【請求項９】
　前記ハウジングの前記第一支持部は，前記レンズの幅よりも広い幅の傾斜面部を備え，
　該ハウジングの前記第二支持部は，該レンズの幅よりも広い幅の傾斜面部を備え，
　該レンズは，レンズ曲面部の周縁部に平面部を備え，
　該第一支持部の該傾斜面部と，該レンズの該平面部とに，該レンズを該ハウジングに固着させる接着剤が塗布され，
　該第二支持部の該傾斜面部と，該レンズの該平面部とに，該レンズを該ハウジングに固着させる接着剤が塗布されたことを特徴とする請求項１〜８の何れか１項に記載のピックアップ装置。
　　【請求項１０】
　前記ハウジングに前記レンズを固着させる接着剤が用いられ，該接着剤として，紫外線が照射されることで硬化する紫外線硬化型接着剤が用いられたことを特徴とする請求項１〜９の何れか１項に記載のピックアップ装置。
　　【請求項１１】
　前記ハウジングに対して前記レンズを精度よく装備可能とさせる位置決め部が，該ハウジングに設けられたことを特徴とする請求項１〜１０の何れか１項に記載のピックアップ装置。
　　【請求項１２】
　前記位置決め部は，前記第一隔壁および前記第二隔壁から突設された突出部として形成されたことを特徴とする請求項１１に記載のピックアップ装置。
　　【請求項１３】
　前記ハウジングに対し前記レンズの取付位置を定めるための基準面が，前記位置決め部に設けられ，該基準面に対応した平面部が該レンズの曲面部の周縁部に設けられ，該ハウジングに設けられた該位置決め部の該基準面に，該レンズの該平面部が当接されて，該ハウジングに該レンズが取り付けられたことを特徴とする請求項１１又は１２に記載のピックアップ装置。
　　【請求項１４】
　前記レンズとして，入射した光を平行光にして出射するコリメータレンズが用いられたことを特徴とする請求項１〜１３の何れか１項に記載のピックアップ装置。
　　【請求項１５】
　持運びが容易なコンピュータのディスク装置に装備可能とされたことを特徴とする請求項１〜１４の何れか１項に記載のピックアップ装置。
　　【請求項１６】
　
前記第一支持部と，前記第二支持部と，前記第一隔壁と，前記第二隔壁と，前記連結部とは，同質材料が用いられて一体形成されたことを特徴とする請求項１〜１５の何れか１項に記載のピックアップ装置。
とあったものを，本件補正により
「　【請求項１】
　ハウジングと，
　該ハウジングに取り付けられるレンズと，
を備え，
　該ハウジングは，
　該レンズを支える第一支持部と，
　該レンズを支える第二支持部と，
　該第一支持部に続く第一隔壁と，
　該第二支持部に続く第二隔壁と，
　該第一隔壁と該第二隔壁とを繋ぐ連結部と，
を有し，
　該第一支持部と，該第二支持部と，該第一隔壁と，該第二隔壁と，該連結部とは，一体形成され
，
　
前記レンズと前記連結部とに接着剤を塗布させ易くする突出部が該連結部に設けられ，
　
前記突出部に対応した切欠き部が前記レンズに設けられ
　　【請求項２】
　前記ハウジングに前記レンズが固定されるときに，該ハウジングに該レンズを固着させる接着剤が用いられたことを特徴とする請求項１記載のピックアップ装置。
　　【請求項３】
　前記ハウジングおよび前記レンズに接着剤が三箇所塗布されて，該ハウジングに該レンズが固定されたことを特徴とする請求項１又は２記載のピックアップ装置。
　　【請求項４】
　前記第一支持部と，前記第二支持部と，前記連結部とに接着剤が塗布されて，前記ハウジングに前記レンズが固定されたことを特徴とする請求項１〜３の何れか１項に記載のピックアップ装置。
　　【請求項５】
　
前記ハウジングに前記レンズが装備されるときに，
　
前記突出部と，前記切欠き部とが合わせられた
　　【請求項６】
　
前記ハウジングに前記レンズが装備されるときに，
　
前記突出部と，前記切欠き部との間に隙間がもたされた状態で，該ハウジングに該レンズが備えられた
１〜
の何れか１項
　　【請求項７】
　前記接着剤は，前記突出部の先端面部と，前記切欠き部を形成する平面部とに塗布されたことを特徴とする請求項
１〜
の何れか１項
　　【請求項８】
　前記ハウジングに前記レンズが装備されるときに，
　該ハウジングの前記連結部に突設された前記突出部の先端面部が，該レンズの
前記
１
　　【請求項９】
　前記ハウジングの前記第一支持部は，前記レンズの幅よりも広い幅の傾斜面部を備え，
　該ハウジングの前記第二支持部は，該レンズの幅よりも広い幅の傾斜面部を備え，
　該レンズは，レンズ曲面部の周縁部に平面部を備え，
　該第一支持部の該傾斜面部と，該レンズの該平面部とに，該レンズを該ハウジングに固着させる接着剤が塗布され，
　該第二支持部の該傾斜面部と，該レンズの該平面部とに，該レンズを該ハウジングに固着させる接着剤が塗布されたことを特徴とする請求項１〜８の何れか１項に記載のピックアップ装置。
　　【請求項１０】
　前記ハウジングに前記レンズを固着させる接着剤が用いられ，該接着剤として，紫外線が照射されることで硬化する紫外線硬化型接着剤が用いられたことを特徴とする請求項１〜９の何れか１項に記載のピックアップ装置。
　　【請求項１１】
　前記ハウジングに対して前記レンズを精度よく装備可能とさせる位置決め部が，該ハウジングに設けられたことを特徴とする請求項１〜１０の何れか１項に記載のピックアップ装置。
　　【請求項１２】
　前記位置決め部は，前記第一隔壁および前記第二隔壁から突設された突出部として形成されたことを特徴とする請求項１１に記載のピックアップ装置。
　　【請求項１３】
　前記ハウジングに対し前記レンズの取付位置を定めるための基準面が，前記位置決め部に設けられ，該基準面に対応した平面部が該レンズの曲面部の周縁部に設けられ，該ハウジングに設けられた該位置決め部の該基準面に，該レンズの該平面部が当接されて，該ハウジングに該レンズが取り付けられたことを特徴とする請求項１１又は１２に記載のピックアップ装置。
　　【請求項１４】
　前記レンズとして，入射した光を平行光にして出射するコリメータレンズが用いられたことを特徴とする請求項１〜１３の何れか１項に記載のピックアップ装置。
　　【請求項１５】
　持運びが容易なコンピュータのディスク装置に装備可能とされたことを特徴とする請求項１〜１４の何れか１項に記載のピックアップ装置。
　　【請求項１６】
　前記第一支持部と，前記第二支持部と，前記第一隔壁と，前記第二隔壁と，前記連結部とは，同質材料が用いられて一体形成されたことを特徴とする請求項１〜１５の何れか１項に記載のピックアップ装置。」
としようとするものである。なお，下線は請求人が付していたものである。　
２　補正の目的について
　(1) 本件補正による請求項１は，本件補正前の請求項１の事項の全てを含み，かつ，本件補正前の請求項５及び請求項６記載の事項を全て含むものである。
　したがって，本件補正による請求項１は，本件補正前の
請求項１を引用する請求項５を引用する請求項６
　よって，本件補正により，
本件補正前の請求項１及び請求項５は削除される
 
　(2) これに対し，本件補正による請求項５及び請求項６は，
本件補正前の請求項５及び請求項６とは全く異なる技術事項の特定をする
本件補正前の請求項１から請求項１６のいずれの請求項にも記載されていなかった事項により技術事項の特定をしようとする
　そして，補正前に存在しなかった新たな技術事項からなる請求項を追加することは，平成１８年法律第５５号改正附則第３条第１項の規定によりなお従前の例とされる同法による改正前の特許法（以下，「平成１８年改正前特許法」という。）第１７条の２第４項各号に掲げる事項，すなわち，請求項の削除，特許請求の範囲の減縮，誤記の訂正及び明瞭でない記載の釈明のいずれにも該当するものではない。
　よって，本件補正は，平成１８年改正前特許法第１７条の２第４項各号に掲げる事項を目的とするものでない。
　
３　補正の却下の決定のむすび
　以上のように，本件補正は，平成１８年改正前特許法第１７条の２第４項各号に掲げる事項を目的とするものでないから，特許法第１５９条第１項で読み替えて準用する特許法第５３条第１項の規定により，却下をすべきものである。
　よって，結論のとおり決定する。
　
第３　本願発明
　以上のように本件補正は却下されたから，この出願の特許請求の範囲に記載された請求項１の発明（以下，「本願発明」という。）は，前記第２《補正の却下の決定の理由》１に，本件補正前の請求項１の発明として示したとおりのものである。
　
第４　刊行物の記載事項
１　文献１
　この出願の出願前に頒布された刊行物であり，原査定の拒絶の理由で引用された特開平１１−２７３１３０号公報（以下，「文献１」という。）には，図面と共に次の事項が記載されている。なお，下線は当審において付したものである。
「【００２４】
【発明の実施の形態】図１の（ａ），（ｂ）は本発明の一実施の形態に係る光ピックアップ装置３０を示す図である。なお，図１において，図５と同一機能部分には同一符号を付した。
【００２５】図５は光ピックアップ装置４０の第１の実施の形態を示す斜視図である。
光ピックアップ装置４０は，光学ベース１０を備えている
【００２６】また，光学ベース１０上には，半導体レーザ光（波長６５０ｎｍ）を出力する第２の光源２１と，焦点誤差検出素子２２と，光検出器２７とが設けられている。第２の光源２１と光検出器２７とはユニット２８として一体化されている。なお，焦点誤差検出素子２２は，ホログラムによる回折効果を利用して入射光を偏光方向に応じて直進させたり屈折させたりすることで，ビームスプリッタ１３側から逆行してきた復路の光を回折し，光検出器２７に導く機能を有している。
【００２７】さらに，光学ベース１０上には，キューブ形のビームスプリッタ１３が設けられている。ビームスプリッタ１３は，第１の光源１１からのレーザ光及び第２の光源２１側からのレーザ光を，往路の同一出力方向（コリメータレンズ１４側）へ導き出力するものである。またこのビームスプリッタ１３は，同一出力方向から逆行してきた復路の反射光を，それぞれを射出した第１，第２の光源１１，２１側へ分岐し導くものである。
【００２８】また，図１中５０は，
光学ベース１０に取り付けられた光学ホルダを示している。光学ホルダは，光学ベース１０に固定されたホルダ本体５１と，このホルダ本体５１側に基端側が取り付けられるとともに，先端側が反射ミラー１５（光学部品）の側面１５ｂに取り付けられた支持部材５２とを備えている。また，ホルダ本体５１の中央部には，レーザ光が通過する穴部５１ａが設けられ，コリメータレンズ１４が取付けられている
コリメータレンズ１４は，接着剤により
ホルダ本体５１に接着され
【００２９】コリメータレンズ１４は，拡散光であるレーザ光に対して集束作用を及ぼす特性を持つので，拡散の度合いを調整する場合や，集束光や平行光を得る場合など多用途に用いられる。」
　なお，段落００２８の「光学ホルダ１０」は「光学ホルダ」の誤記と認められるから，「光学ホルダ」と認めた。
　
　以上の記載及び図面の記載から，文献１には，以下の発明（以下，「引用発明」という。）が記載されている。
　
「光ピックアップ装置４０において，
　光学ベース１０を備え，
　該光学ベース１０は，該光学ベース１０に固定された光学ホルダを備え，
　該光学ホルダは，ホルダ本体５１を備え，
　該ホルダ本体５１の中央部には，レーザ光が通過する穴部５１ａが設けられ，コリメータレンズ１５が接着剤により接着されている
　光ピックアップ装置４０。」
　
２　文献２
　この出願の出願前に頒布された刊行物であり，原査定の拒絶の理由で引用された特開２００５−０３７５５８号公報（以下，「文献２」という。）には，図面と共に次の事項が記載されている。なお，下線は当審において付したものである。
　(1) 「【００１９】
【発明の実施の形態】
以下，本発明の実施の形態を図面と共に説明する。
図１，図２，図３は本発明の第１の実施の形態によるマルチビーム光源装置１０を示す。
図において，２つの半導体レーザ１は２つの光源保持部材２に圧入されて保持され，２つの光源保持部材２は，カップリングレンズ保持部材３に形成された所定の角度（１°〜１０°程度）をなす２つの光源保持部材固定面３ａ（図２）にねじ５で締結される。また２つの
カップリングレンズ４は，図１に示すように，２つのカップリングレンズ固定平面３ｂに接した状態で接着固定される。カップリングレンズ固定平面３ｂは，カップリングレンズ４の光軸方向と略平行である
【００２０】半導体レーザ１とカップリングレンズ４との相対位置は調整が必要である。その調整方法は，カップリングレンズ光軸方向には，カップリングレンズ１を２つのカップリングレンズ固定面３ｂに接したまま移動させて調整し，光軸直行方向には，光源保持部材２を光源保持部材固定面３ａに沿って２次元的に移動させて調整し，上記のように各々固定する。
【００２１】図１におけるカップリングレンズ保持部を拡大したのが図４である。図示のように，
カップリングレンズ４を２つのカップリングレンズ固定平面３ｂに接した状態で接着固定するため，接着剤６の層の厚さを薄くすることができ，温度変動での接着剤６の伸縮によるカップリングレンズ４の位置変動を小さく抑えられる
【００２２】また，
図１から３では，２つのカップリングレンズ４を接着固定する合計４つのカップリングレンズ固定平面３ｂが同一部材３に一体的に形成されている
　(2) 図１は，次のとおりのものである。
　
第５　対比及び判断
１　本願発明と引用発明の対比
　(1) 引用発明の「光ピックアップ装置４０」は本願発明の「光ピックアップ装置」に相当する。
　(2) 本願発明の「光ピックアップ装置」は，「ハウジングと，」「該ハウジングに取り付けられるレンズと，」「を備え，」というものであるから，「ハウジング」は「レンズ」が取り付けられる物品をいうものである。
　これに対し，引用発明の「光学ホルダ」は「コリメータレンズ１５が接着剤により接着されている」というものであり，引用発明の「光学ホルダ」も，レンズが取り付けられる物品である。
　したがって，引用発明の「光学ホルダ」は本願発明の「ハウジング」に，引用発明の「コリメータレンズ」は本願発明の「レンズ」に相当する。
　
２　一致点及び相違点
　以上より，本願発明と引用発明は以下の点で一致する。
　
「ハウジングと，
　該ハウジングに取り付けられるレンズと，
を備えたことを特徴とするピックアップ装置。」
　
　そして，本願発明は，「該ハウジングは，
　該レンズを支える第一支持部と，
　該レンズを支える第二支持部と，
　該第一支持部に続く第一隔壁と，
　該第二支持部に続く第二隔壁と，
　該第一隔壁と該第二隔壁とを繋ぐ連結部と，
を有し，
　該第一支持部と，該第二支持部と，該第一隔壁と，該第二隔壁と，該連結部とは，一体形成された」ものであるのに対し，引用発明はこのような構成でない点（以下，「相違点」という。）で相違する。
　
３　相違点についての判断
　(1) 文献２には，２つのカップリングレンズ４を接着固定する４つのカップリングレンズ固定平面３ｂを同一部材３に一体的に形成し，各カップリングレンズ４を，２つのカップリングレンズ固定平面３ｂに接した状態で接着固定するものが記載されている（摘記箇所及び図１参照。）。
　すると，文献２の「部材３」にある「２つのカップリングレンズ固定平面３ｂ」は，「レンズを支える第一支持部」及び「レンズを支える第二支持部」ということができる。
　ここで，文献２の図１において，「カップリングレンズ固定平面３ｂ」を示す左の引出線の示す面が「第一支持部」に，右の引出線の示す面が「第二支持部」に対応するものとすると，それぞれの「カップリングレンズ固定平面３ｂ」の「光源保持部材２」の存在する光軸方向の延長上に存在する丸（光源保持部材２に半導体レーザが存在することから，貫通穴である。）が描かれている面のうち，左の引出線が示す「カップリングレンズ固定平面３ｂ」の延長上に存在する丸の上側の面が「第一支持部に続く第一隔壁」，右の引出線が示す「カップリングレンズ固定平面３ｂ」の同じく延長上に存在する丸の下側の面が「第二支持部に続く第二隔壁」，そして，該丸の右側にある部分が「連結部」といえるものである。
　そして，文献２の「部材３」は「２つのカップリングレンズ４を接着固定する合計４つのカップリングレンズ固定平面３ｂが
同一部材３に一体的に形成されている
　よって，文献２に記載された「部材３」は，本願発明の
「該レンズを支える第一支持部と，
　該レンズを支える第二支持部と，
　該第一支持部に続く第一隔壁と，
　該第二支持部に続く第二隔壁と，
　該第一隔壁と該第二隔壁とを繋ぐ連結部と，
を有し，
　該第一支持部と，該第二支持部と，該第一隔壁と，該第二隔壁と，該連結部とは，一体形成された」
との要件を備えているということができる。
　(2) そして，部材にレンズを固定することは，光ピックアップの技術分野に限らず，光学機器の分野全般において広く共通に用いられる技術であって，引用発明の光ピックアップ装置のレンズの取付構造として，文献２記載の技術を適用することができない特段の事情があるとも認められないから，引用発明の「光学ホルダ」において文献２記載の技術を採用することで，本願発明のようにすることは，当業者でれあれば容易になし得ることである。
　(3) また，部材を一体形成とすればその剛性が向上することは一般的に知られていることであり，引用発明の「光学ホルダ」において文献２記載の技術を採用することでも当然に奏する程度のものにすぎないから，引用発明の光学ホルダにおいて文献２記載の技術を採用することによって本願発明のように構成することにより生じる効果も，格別顕著なものであるとはいえない。
　
４　小括
　以上検討したように，本願発明は，引用発明及び文献２記載の技術に基づいて当業者が容易に発明をすることができたものであるから，特許法第２９条第２項の規定により特許を受けることができないものである。
　
第５　むすび
　以上のように，本願発明は，引用発明及び文献２記載の技術に基づいて当業者が容易に発明をすることができたものであるから，特許法第２９条第２項の規定により特許を受けることができないものである。
　したがって，この出願については，他の請求項について論及するまでもなく，原査定の拒絶の理由により拒絶をすべきものである。
　よって，結論のとおり審決する。